(57)【要約】      （修正有）【課題】低費用で実現可能であり、使用者が選択したディスプレイイメージを認識することができるディスプレイ装置を提供する。【解決手段】ディスプレイ装置は、ＮＦＣ装置を搭載した外部装置の位置を認識することができ、複数のＮＦＣタッグを含むディスプレイ部１１０と、複数のＮＦＣタッグのうち外部装置によって活性化されたＮＦＣタッグの電流、電圧、または電力のうちの少なくとも１つを感知する複数のセンサ１２０、１３０と、複数のセンサ１２０、１３０の感知結果に基づいて、外部装置に隣接したＮＦＣタッグの位置を決める判断部１４０と、を含む。【選択図】図２
2011175626.tif 000002
【特許請求の範囲】
【請求項１】
ＮＦＣ装置を搭載した外部装置を認識することができるディスプレイ装置において、
第１方向に延長された第１導電ラインと、
第２方向に延長された第２導電ラインと、
前記第１導電ラインと第２導電ラインとの交差点に配置された複数のＮＦＣタッグとを含み、
前記複数のＮＦＣタッグのうち前記外部装置によって活性化されたＮＦＣタッグの電流、電圧、または電力のうちの少なくとも１つを感知し、前記外部装置の位置を認識することを特徴とするディスプレイ装置。
【請求項２】
前記第１導電ラインに接続され、前記活性化されたＮＦＣタッグに対応する電流、電圧、または電力のうちの少なくとも１つを感知する第１センサと、
前記第２導電ラインに接続され、前記活性化されたＮＦＣタッグに対応する電流、電圧、または電力のうちの少なくとも１つを感知する第２センサとをさらに含むことを特徴とする請求項１に記載のディスプレイ装置。
【請求項３】
前記第１センサの感知結果に基づいて、前記活性化されたＮＦＣタッグの行情報を判断し、前記第２センサの感知結果に基づいて、前記活性化されたＮＦＣタッグの列情報を判断する判断部をさらに含むことを特徴とする請求項２に記載のディスプレイ装置。
【請求項４】
前記複数のＮＦＣタッグのうち前記外部装置によって活性化されたＮＦＣタッグが少なくとも２つの場合に、前記判断部は前記第１センサの感知結果と基準値とを比較して、前記少なくとも２つの活性化されたＮＦＣタッグのうち選択されたＮＦＣタッグの行情報を判断し、前記第２センサの感知結果と基準値とを比較して、前記少なくとも２つの活性化されたＮＦＣタッグのうち選択されたＮＦＣタッグの列情報を判断することを特徴とする請求項３に記載のディスプレイ装置。
【請求項５】
前記第１または第２センサの感知結果のうち所定のセンサの感知結果が前記基準値より大きい場合に、前記判断部は前記少なくとも２つの活性化されたＮＦＣタッグのうち前記所定のセンサに対応するＮＦＣタッグを選択することを特徴とする請求項４に記載のディスプレイ装置。
【請求項６】
前記外部装置と前記外部装置によって活性化されたＮＦＣタッグの間にはＰｅｅｒ  ｔｏ  Ｐｅｅｒ通信機能、ＲＦＩＤ判読機能、またはカードエミュレーション機能のうちの少なくとも１つが実行されることを特徴とする請求項１に記載のディスプレイ装置。
【請求項７】
ＮＦＣ装置を搭載した外部装置認識方法において、
前記外部装置に応答し、複数のＮＦＣタッグのうち所定のＮＦＣタッグが活性化される段階と、
前記活性化されたＮＦＣタッグの電流、電圧、または電力のうちの少なくとも１つを感知し、前記外部装置の位置を認識する段階とを含むことを特徴とするディスプレイ装置の外部装置認識方法。
【請求項８】
前記複数のＮＦＣタッグは第１方向に延長された第１導電ラインと第２方向に延長された第２導電ラインとの交差点に位置し、
前記外部装置の位置を認識する段階は、
前記第１導電ラインを通じて感知された感知結果に基づいて前記活性化されたＮＦＣタッグの行情報を判断する段階と、
前記第２導電ラインを通じて感知された感知結果に基づいて前記活性化されたＮＦＣタッグの列情報を判断する段階とを含むことを特徴とする請求項７に記載のディスプレイ装置の外部装置認識方法。
【請求項９】
前記複数のＮＦＣタッグのうち活性化されたＮＦＣタッグが少なくとも２つの場合に、前記少なくとも２つの活性化されたＮＦＣタッグに対応する感知結果を基準値と各々比較する段階をさらに含むことを特徴とする請求項７に記載のディスプレイ装置の外部装置認識方法。
【請求項１０】
前記少なくとも２つの活性化されたＮＦＣタッグに対応する感知結果のうち所定の活性化されたＮＦＣタッグに対応する感知結果が基準値より大きい場合に、前記所定の活性化されたＮＦＣタッグの位置情報に基づいて前記外部装置の位置を認識することを特徴とする請求項９に記載のディスプレイ装置の外部装置認識方法。
【発明の詳細な説明】
【技術分野】
【０００１】
本発明はディスプレイ装置に係り、さらに具体的には、外部装置を認識することができるディスプレイ装置及びディスプレイシステム、およびその外部装置認識方法に関する。
【背景技術】
【０００２】
最近、ディスプレイ装置で使用者が選択したディスプレイイメージを感知するためにタッチスクリーン（ｔｏｕｃｈ  ｓｃｒｅｅｎ）方式が多用されている。タッチスクリーン方式を用いるディスプレイ装置は使用者の接触を感知することによって、使用者が選択したディスプレイイメージを認識することができる。しかし、タッチスクリーン方式はタッチスクリーンパネルの高い価格によって、多様な分野に適用されるのに限界がある。
【先行技術文献】
【特許文献】
【０００３】
【特許文献１】韓国特許出願公開第１０−２００９−００７１３１５号公報
【発明の概要】
【発明が解決しようとする課題】
【０００４】
本発明は上述の問題点を解決するために、低費用で実現可能であり、使用者が選択したディスプレイイメージを認識することができるディスプレイ装置及びディスプレイシステム、およびその外部装置認識方法に関する。
【課題を解決するための手段】
【０００５】
本発明の実施形態に係るＮＦＣ装置を搭載した外部装置の位置を認識することができるディスプレイ装置は、第１方向に延長された第１導電ライン、第２方向に延長された第２導電ライン、及び前記第１導電ラインと第２導電ラインとの交差点に配置された複数のＮＦＣタッグを含み、前記複数のＮＦＣタッグのうち前記外部装置によって活性化されたＮＦＣタッグの電流、電圧、または電力のうちの少なくとも１つを感知して、前記外部装置の位置を認識する。
【０００６】
実施形態として、前記第１導電ラインに接続されており、前記活性化されたＮＦＣタッグに対応する電流、電圧、または電力のうちの少なくとも１つを感知する第１センサと、前記第２導電ラインに接続されており、前記活性化されたＮＦＣタッグに対応する電流、電圧、または電力のうちの少なくとも１つを感知する第２センサとをさらに含む。
【０００７】
実施形態として、前記第１センサの感知結果に基づいて、前記活性化されたＮＦＣタッグの行情報を判断し、前記第２センサの感知結果に基づいて、前記活性化されたＮＦＣタッグの列情報を判断する判断部をさらに含む。
【０００８】
実施形態として、前記複数のＮＦＣタッグのうち前記外部装置によって活性化されたＮＦＣタッグが少なくとも２つの場合に、前記判断部は前記第１センサの感知結果と基準値とを比較して、前記少なくとも２つの活性化されたＮＦＣタッグのうち選択されたＮＦＣタッグの行情報を判断し、前記第２センサの感知結果と基準値とを比較して、前記少なくとも２つの活性化されたＮＦＣタッグのうち選択されたＮＦＣタッグの列情報を判断する。
【０００９】
実施形態として、前記第１または第２センサの感知結果のうち所定のセンサの感知結果が前記基準値より大きい場合に、前記判断部は前記少なくとも２つの活性化されたＮＦＣタッグのうちで前記所定のセンサに対応するＮＦＣタッグを選択する。
【００１０】
実施形態として、前記外部装置と前記外部装置によって活性化されたＮＦＣタッグとの間にはＰｅｅｒ  ｔｏ  Ｐｅｅｒ通信機能、ＲＦＩＤ判読機能、またはカードエミュレーション機能のうちの少なくとも１つが実行される。
【００１１】
本発明の実施形態に係るディスプレイシステムは、ＮＦＣ装置を搭載した外部装置及び前記外部装置の位置を認識するディスプレイ装置を含み、前記ディスプレイ装置は複数のＮＦＣタッグを含むディスプレイ部と、前記複数のＮＦＣタッグのうち前記外部装置によって活性化されたＮＦＣタッグの電流、電圧または電力のうちの少なくとも１つを感知する複数のセンサと、前記複数のセンサの感知結果に基づいて、前記外部装置によって活性化されたＮＦＣタッグの位置を判断する判断部とを含む。
【００１２】
実施形態として、前記複数のＮＦＣタッグと前記複数のセンサとの間に接続された導電ラインをさらに含み、前記導電ラインは行方向に延長された第１導電ライン及び列方向に延長された第２導電ラインを含み、前記第１及び第２導電ラインは各々一定の間隔に配置されている。
【００１３】
実施形態として、前記複数のＮＦＣタッグは前記第１導電ラインと前記第２導電ラインとの交差点に位置している。
【００１４】
実施形態として、前記複数のセンサは前記第１導電ラインに接続された第１センサ及び前記第２導電ラインに接続された第２センサを含み、前記判断部は前記第１センサの感知結果に基づいて、前記外部装置によって活性化されたＮＦＣタッグの行情報を判断し、前記第２センサの感知結果に基づいて前記外部装置によって活性化されたＮＦＣタッグの列情報を判断する。
【００１５】
実施形態として、前記複数のＮＦＣタッグのうち前記外部装置によって活性化されたＮＦＣタッグが少なくとも２つの場合に、前記判断部は前記複数のセンサの感知結果を基準値と比較して、前記少なくとも２つの活性化されたＮＦＣタッグのうち選択されたＮＦＣタッグを決める。
【００１６】
実施形態として、前記複数のセンサのうち所定のセンサの感知結果が前記基準値より大きい場合に、前記判断部は前記少なくとも２つの活性化されたＮＦＣタッグのうち前記所定のセンサに対応するＮＦＣタッグを選択する。
【００１７】
実施形態として、前記複数のＮＦＣタッグに一対一で接続された導電ラインをさらに含み、前記複数のセンサは前記導電ラインを通じて伝達された電流、電圧、または電力のうちの少なくとも１つを感知する。
【００１８】
実施形態として、前記複数のＮＦＣタッグは前記ディスプレイ部の正面または背面に位置することを特徴とする。
【００１９】
実施形態として、前記外部装置と前記外部装置によって活性化されたＮＦＣタッグとの間にはＰｅｅｒ  ｔｏ  Ｐｅｅｒ通信機能、ＲＦＩＤ判読機能、またはカードエミュレーション機能のうちの少なくとも１つが実行される。
【００２０】
本発明の実施形態に係るＮＦＣ装置を搭載した外部装置の位置認識方法は、前記外部装置に応答して、複数のＮＦＣタッグのうち所定のＮＦＣタッグが活性化される段階と、前記活性化されたＮＦＣタッグの電流、電圧、または電力のうちの少なくとも１つを感知して、前記外部装置の位置を認識する段階とを含む。
【００２１】
実施形態として、前記複数のＮＦＣタッグは第１方向に延長された第１導電ラインと第２方向に延長された第２導電ラインとの交差点に位置し、前記外部装置の位置を認識する段階は前記第１導電ラインを通じて感知された感知結果に基づいて前記活性化されたＮＦＣタッグの行情報を判断する段階と、前記第２導電ラインを通じて感知された感知結果に基づいて前記活性化されたＮＦＣタッグの列情報を判断する段階とを含む。
【００２２】
実施形態として、前記複数のＮＦＣタッグのうち活性化されたＮＦＣタッグが少なくとも２つの場合に、前記少なくとも２つの活性化されたＮＦＣタッグに対応する感知結果を基準値と各々比較する段階をさらに含む。
【００２３】
実施形態として、前記少なくとも２つの活性化されたＮＦＣタッグに対応する感知結果のうち所定の活性化されたＮＦＣタッグに対応する感知結果が基準値より大きい場合に、前記所定の活性化されたＮＦＣタッグの位置情報に基づいて前記外部装置の位置を認識する。
【００２４】
実施形態として、前記複数のＮＦＣタッグは複数の導電ラインに一対一で接続され、前記外部装置の位置を認識する段階は前記複数の導電ラインのうち活性化された導電ラインに対応するＮＦＣタッグの位置情報に基づいて前記外部装置の位置を認識する。
【発明の効果】
【００２５】
本発明の実施形態に係るディスプレイ装置は複数のＮＦＣタッグを含む。したがって、使用者はＮＦＣ装置が搭載された携帯端末機などを利用してＮＦＣタッグに対応するディスプレイイメージを選択することができる。したがって、本発明の実施形態に係るディスプレイ装置はＮＦＣタッグを用いるので、タッチスクリーン方式に比較して低費用で実現可能である。
【図面の簡単な説明】
【００２６】
【図１】本発明の実施形態に係るディスプレイ装置を示すブロック図。
【図２】図１のディスプレイ装置をさらに詳細に説明するためのブロック図。
【図３】図１のディスプレイ装置の動作を説明するためのブロック図。
【図４】図３のディスプレイ装置の動作を説明するためのフローチャート。
【図５】図１のディスプレイ装置の動作を説明するためのブロック図。
【図６】図５のディスプレイの装置の動作を説明するためのフローチャート。
【図７】本発明の他の実施形態に係るディスプレイ装置を示すブロック図。
【発明を実施するための形態】
【００２７】
以下、本発明が属する技術分野で通常の知識を持つ者が本発明の技術的思想を容易に実施することができるほどに詳細に説明するために、本発明の実施形態は添付の図面を参照して説明する。
【００２８】
図１は、本発明の実施形態に係るディスプレイ装置を示すブロック図である。図１に示すように、ディスプレイ装置１００はディスプレイ部１１０と、ロー感知部１２０と、コラム感知部１３０と、判断部１４０と、制御部１５０とを含んでいる。
【００２９】
ディスプレイ部１１０は外部にディスプレイイメージ（ｄｉｓｐｌａｙ  ｉｍａｇｅ）を提供する。例えば、ディスプレイ部１１０は使用者が選択するための少なくても２つのディスプレイイメージを提供する。
【００３０】
また、ディスプレイ部１１０は複数のＮＦＣタッグを含んでいる。ここで、ＮＦＣタッグは受動タッグとして動作可能な所定のＮＦＣ装置またはＮＦＣチップを意味する。ＮＦＣタッグは各々ディスプレイ部１１０に表示されたディスプレイイメージに対応する。ディスプレイ装置１００は活性化されたＮＦＣタッグの位置を判断することによって、使用者によって選択されたディスプレイイメージを感知する。
【００３１】
詳細に説明すれば、ＮＦＣ（Ｎｅａｒ  Ｆｉｅｌｄ  Ｃｏｍｍｕｎｉｃａｔｉｏｎ）はＲＦＩＤ（ＲＦＩＤｅｎｔｉｆｉｃａｔｉｏｎ）技術の１つとして、移動通信端末機やＰＣなどが１３．５６ＭＨｚ帯域の周波数を用いて近距離で低電力でデータを伝送することができる非接触式近距離無線通信を意味する。
【００３２】
ＮＦＣ装置が搭載された携帯端末機がディスプレイ部１１０に接近すると、携帯端末機のＮＦＣ装置と携帯端末機に隣接したＮＦＣタッグとの間には誘導起電力が発生する。すなわち、携帯端末機と隣接したＮＦＣタッグは活性化される。
【００３３】
この場合に、ディスプレイ装置１００は誘導起電力によって生成された電流、電圧または電力のうちの少なくとも１つを感知して活性化されたＮＦＣタッグの位置を判断する。言い換えれば、ディスプレイ装置１００はディスプレイ部１１０のディスプレイイメージのうち携帯端末機と隣接したディスプレイイメージを判断する。
【００３４】
一方、ＮＦＣタッグはディスプレイ部１１０の正面または背面に位置することができる。また、ＮＦＣタッグはイメージタッグ、電子タッグなどを含むことができる。ディスプレイ部１１０は 図２を参照してより詳細に説明する。
【００３５】
ロー感知部１２０及びコラム感知部１３０はディスプレイ部１１０に接続されている。例えば、ロー感知部１２０及びコラム感知部１３０は導電ラインを通じてディスプレイ部１１０のＮＦＣタッグに接続されている。ロー感知部１２０及びコラム感知部１３０は活性化されたＮＦＣタッグに対応する電流、電圧または電力のうちの少なくとも１つを感知する。
【００３６】
詳細に説明すれば、ＮＦＣ装置が搭載された携帯端末機がディスプレイ部１１０に接近すると、ロー感知部１２０及びコラム感知部１３０は誘導起電力によって生成された電流、電圧または電力のうちの少なくとも１つを感知する。例えば、ロー感知部１２０及びコラム感知部１３０は誘導起電力によって生成された電流を感知することができる。また、ロー感知部１２０及びコラム感知部１３０は感知した電流に対応するコラム感知信号ＣＳＳ（Ｃｏｌｕｍｎ  Ｓｅｎｓｉｎｇ  Ｓｉｇｎａｌ）及びロー感知信号ＲＳＳ（Ｒｏｗ  Ｓｅｎｓｉｎｇ  Ｓｉｇｎａｌ）を判断部１４０に各々伝達する。ロー感知部１２０及びコラム感知部１３０は以下の図２を参照して詳細に説明する。
【００３７】
判断部１４０はロー感知部１２０及びコラム感知部１３０に接続されている。判断部１４０にはロー感知部１２０及びコラム感知部１３０からコラム感知信号ＣＳＳ（Ｃｏｌｕｍｎ  Ｓｅｎｓｉｎｇ  Ｓｉｇｎａｌ）及びロー感知信号ＲＳＳ（Ｒｏｗ  Ｓｅｎｓｉｎｇ  Ｓｉｇｎａｌ）が各々伝達される。判断部１４０はコラム感知信号ＣＳＳ及びロー感知信号ＲＳＳに基づいて活性化されたＮＦＣタッグの位置を判断する。
【００３８】
詳細に説明すれば、ＮＦＣ装置が搭載された携帯端末機がディスプレイ部１１０に接近すると、携帯端末機に隣接したＮＦＣタッグは活性化される。例えば、携帯端末機に隣接した１つのＮＦＣタッグが活性化された場合、判断部１４０は伝達されたコラム感知信号ＣＳＳ及びロー感知信号ＲＳＳに基づいて活性化されたＮＦＣタッグの位置を判断する。これは以下の図３及び図４を参照してより詳細に説明する。
【００３９】
他の例において、携帯端末機に隣接した少なくとも２つのＮＦＣタッグが活性化された場合、判断部１４０にはロー感知部１２０及びコラム感知部１３０から各々少なくとも２つのコラム感知信号ＣＳＳ及びロー感知信号ＲＳＳが伝達される。この場合、判断部１４０は伝達されたコラム感知信号ＣＳＳ及びロー感知信号ＲＳＳを各々基準信号ＲＳ（Ｒｅｆｅｒｅｎｃｅ  Ｓｉｇｎａｌ）と比較して活性化されたＮＦＣタッグのうち選択されたＮＦＣタッグの位置を判断する。これは以下の図５及び図６を参照してより詳細に説明する。
【００４０】
制御部１５０には判断部１４０から活性化されたＮＦＣタッグの位置情報が伝達される。制御部１５０は活性化されたＮＦＣタッグの位置情報及びこれに対応するディスプレイイメージを利用してディスプレイ装置１００の全般的な動作を制御する。
【００４１】
例えば、制御部１５０はディスプレイ部１１０のディスプレイイメージのうち活性化されたＮＦＣタッグに対応するディスプレイイメージが認識されるようにディスプレイ装置１００を制御する。言い換えれば、制御部１１０はディスプレイ装置１００がタッチスクリーン（ｔｏｕｃｈ  ｓｃｒｅｅｎ）と類似した動作をするように制御する。但し、本発明の実施形態に係るディスプレイ装置１００はタッチスクリーン方式と異なり、近距離非接触無線通信が可能である。
【００４２】
他の例として、制御部１５０は携帯端末機のＮＦＣ装置と活性化されたＮＦＣタッグとの間でデータ伝送が行われるようにディスプレイ装置１００を制御する。例えば、２つ以上のＮＦＣタッグが活性化される場合、制御部１５０は活性化されたＮＦＣタッグのうち選択されたＮＦＣタッグと携帯端末機のＮＦＣ装置との間にデータ伝送が行われるようにディスプレイ装置１００を制御する。言い換えれば、制御部１５０は活性化されたＮＦＣタッグのうちで非選択されたＮＦＣタッグと携帯端末機のＮＦＣ装置との間にデータ伝送が行われないようにディスプレイ装置１００を制御する。
【００４３】
一方、選択されたＮＦＣタッグと携帯端末機のＮＦＣ装置との間ではＰｅｅｒ  ｔｏ  Ｐｅｅｒ通信、ＲＦＩＤ判読機能、またはカードエミュレーション（Ｃａｒｄ  Ｅｍｕｌａｔｉｏｎ）機能を実行することができるのは勿論である。
【００４４】
図２は、図１のディスプレイ装置１００をさらに詳細に説明するためのブロック図である。
図２に示すように、ディスプレイ部１１０は複数のＮＦＣタッグ及び導電ラインＲＬ１〜ＲＬ４、ＣＬ１〜ＣＬ４を含んでいる。導電ラインは一定の間隔で配置されており、ＮＦＣタッグは各々導電ラインに電気的に接続されている。例えば、図２では導電ラインＲＬ１〜ＲＬ４は行方向に延長され、一定の間隔で配置されている。また、導電ラインＣＬ１〜ＣＬ４は列方向に延長され、一定の間隔で配置されている。また、ＮＦＣタッグは導電ラインＲＬ１〜ＲＬ４と導電ラインＣＬ１〜ＣＬ４との交差点に配置されている。一方、ＮＦＣタッグは各々ディスプレイイメージに対応する。
【００４５】
ディスプレイ部１１０はＮＦＣタッグに対応するディスプレイイメージを使用者に提供する。使用者はディスプレイイメージのうちの１つを選択することができる。例えば、使用者はＮＦＣ装置が搭載された携帯端末機をディスプレイイメージに接近させることによって、ディスプレイイメージを選択することができる。この場合、該当のディスプレイイメージに対応するＮＦＣタッグが活性化される。
【００４６】
ロー感知部１２０及びコラム感知部１３０は各々複数のローセンサＲＳ及びコラムセンサＣＳを含んでいる。例えば、図２においてロー感知部１２０は第１〜第４ローセンサＲＳ１〜ＲＳ４を含むと仮定する。同様に、コラム感知部１３０は第１〜第４コラムセンサＣＳ１〜ＣＳ４を含むと仮定する。
【００４７】
ロー感知部１２０及びコラム感知部１３０は導電ラインを通じてディスプレイ部１１０に接続されている。具体的に、ローセンサＲＳ及びコラムセンサＣＳは各々導電ラインＲＬ１〜ＲＬ４及び導電ラインＣＬ１〜ＣＬ４を通じてＮＦＣタッグに接続されている。
【００４８】
ローセンサＲＳ及びコラムセンサＣＳは各々活性化されたＮＦＣタッグによって生成された電流、電圧または電力のうちの少なくとも１つを感知する。ローセンサＲＳ及びコラムセンサＣＳは感知した電流などに対応するコラム感知信号ＣＳＳ及びロー感知信号ＲＳＳを判断部１４０（図１参照）に伝達する。以下、図３〜図６では本発明の技術的思想による図１のディスプレイ装置の動作をより詳細に説明する。
【００４９】
一方、上述の説明は例示的なものに過ぎない。例えば、図２ではＮＦＣタッグは一定の間隔を有する導電ラインに配置されるが、本発明の技術的思想はこれに限定されない。例えば、ＮＦＣタッグは使用の用途によって多様に配置することができる。これは以下の図７を参照してより詳細に説明する。
【００５０】
図３は、図１のディスプレイ装置の動作を説明するためのブロック図である。図３では例示的に、１つのＮＦＣタッグが活性化されると仮定する。また、簡略な説明のために、ディスプレイ部１１０は４Ｘ４行列構造で配置された複数のＮＦＣタッグを含み、ロー感知部１２０及びコラム感知部１３０は誘導起電力によって生成された誘導電流を感知すると仮定する。
【００５１】
図３を参照すれば、例示的に、ＮＦＣ装置が搭載された携帯端末機１０を（３、２）の座標を有するＮＦＣタッグＮＴに接近すると仮定する。ここで、（３、２）の座標はＮＦＣタッグＮＴが行方向の導電ラインのうちの３行の導電ラインと列方向の導電ラインのうちの２列の導電ラインとの交差点に位置することを意味する。
【００５２】
ＮＦＣ装置が搭載された携帯端末機１０がＮＦＣタッグＮＴに接近する場合、携帯端末機１０のＮＦＣ装置とディスプレイ部１１０のＮＦＣタッグとの間には誘導起電力が発生する。すなわち、ＮＦＣタッグＮＴが活性化される。この場合、ＮＦＣタッグＮＴ及びＮＦＣタッグに接続された導電ラインには誘導電流が発生する。誘導電流はＮＦＣタッグＮＴに接続された導電ラインに沿ってロー感知部１２０及びコラム感知部１３０に伝達される。
【００５３】
例えば、図３を参照すれば、第３ロー電流ＩＲ３が第３ローセンサＲＳ３に伝達され、第２コラム電流ＩＣ２が第２コラムセンサＣＳ２に伝達される。ここで、ロー電流ＩＲは導電ラインに沿ってロー感知部１２０に伝達される誘導電流を意味する。コラム電流ＩＣは導電ラインに沿ってコラム感知部１３０に伝達される誘導電流を意味する。
【００５４】
ロー感知部１２０にはディスプレイ部１１０からロー電流ＩＲが伝達される。ロー感知部１２０は伝達されたロー電流ＩＲに対応するロー感知信号ＲＳＳを判断部１４０に提供する。この場合、ロー感知信号ＲＳＳは活性化されたＮＦＣタッグＮＴの行位置情報を含む。
【００５５】
例えば、図３を参照すれば、第３ローセンサＲＳ３には第３ロー電流ＩＲ３が伝達され、これに対応する第３ロー感知信号ＲＳＳ３を判断部１４０に提供する。この場合、第３ロー感知信号ＲＳＳ３は活性化されたＮＦＣタッグＮＴが行方向の導電ラインのうち第３行の導電ラインに位置することを示す行位置情報を含む。
【００５６】
また、コラム感知部１３０にはディスプレイ部１１０からコラム電流ＩＣが伝達される。コラム感知部１３０は伝達されたコラム電流ＩＣに対応するコラム感知信号ＣＳＳを判断部１４０に提供する。この場合、コラム感知信号ＣＳＳは活性化されたＮＦＣタッグＮＴの列位置情報を含む。
【００５７】
例えば、図３を参照すれば、第２コラムセンサＣＳ２には第２コラム電流ＩＣ２が伝達され、これに対応する第２コラム感知信号ＣＳＳ２を判断部１４０に提供する。この場合、第２コラム感知信号ＣＳＳ２は活性化されたＮＦＣタッグＮＴが列方向の導電ラインのうち第２列の導電ラインに位置することを示す列位置情報を含む。
【００５８】
判断部１４０にはロー感知部１２０及びコラム感知部１３０から各々ロー感知信号ＲＳＳ及びコラム感知信号ＣＳＳが伝達される。判断部１４０はロー感知信号ＲＳＳ及びコラム感知信号ＣＳＳに基づいて、活性化されたＮＦＣタッグＮＴの位置を判断する。
【００５９】
例えば、図３を参照すれば、判断部１４０には第３ローセンサＲＳ３及び第２コラムセンサＣＳ２から各々第３ロー感知信号ＲＳＳ３及び第２コラム感知信号ＣＳＳ２が伝達される。第３ロー感知信号ＲＳＳ３及び第２コラム感知信号ＣＳＳ２が各々活性化されたＮＦＣタッグＮＴの行情報及び列情報を含むので、判断部１４０はＮＦＣタッグＮＴが（３、２）の座標に位置することを判断することができる。
【００６０】
上述のように、本発明の技術的思想の実施形態に係るディスプレイ装置は、ディスプレイ部１１０のＮＦＣ装置のうち活性化されたＮＦＣ装置の位置情報を判断することができる。したがって、本発明の技術的思想の実施形態に係るディスプレイ装置は、ディスプレイ部のディスプレイイメージのうちで使用者によって選択されたディスプレイイメージを認識することができる。
【００６１】
一方、上述の説明は例示的なことに過ぎない。例えば、図３では携帯端末機１０を携帯電話として示しているが、これに限定されない。例えば、携帯端末機１０は携帯電話、ＰＣＳ端末機、ＰＭＰ端末機、ＰＤＡ端末機、ノートブックなどのようなＮＦＣ装置が搭載可能なすべての移動通信端末機を含むことができる。
【００６２】
図４は、図３のディスプレイ装置の動作を説明するためのフローチャートである。
１１０段階において、ＮＦＣタッグが活性化される。すなわち、使用者がＮＦＣ装置をＮＦＣタッグに接近させる場合、ＮＦＣ装置に隣接したＮＦＣタッグが活性化される。ここで、ＮＦＣ装置は携帯電話などの携帯端末機に搭載されたＮＦＣ装置を意味する。この場合、例えば、図３を参照すれば、ＮＦＣ装置に隣接したＮＦＣタッグには誘導電流（ｉｎｄｕｃｅｄ  ｃｕｒｒｅｎｔ）が発生する。
【００６３】
１２０段階において、誘導電流（ｉｎｄｕｃｅｄ  ｃｕｒｒｅｎｔ）が感知部（ｓｅｎｓｉｎｇｕｎｉｔ）で感知される。例えば、図３を参照すれば、誘導電流のうちロー電流ＩＲがロー感知部１２０で感知される。また、誘導電流のうちコラム電流ＩＣがコラム感知部１３０で感知される。
【００６４】
１３０段階において、伝達された誘導電流に基づいて、活性化されたＮＦＣタッグの位置が判断される。例えば、図３を参照すれば、ロー感知部１２０は伝達されたロー電流ＩＲに対応するロー感知信号ＲＳＳを判断部１４０に伝達する。コラム感知部１３０は伝達されたコラム電流ＩＣに対応するコラム感知信号ＣＳＳを判断部１４０に伝達する。
【００６５】
この場合、ロー感知信号ＲＳＳ及びコラム感知信号ＣＳＳは各々活性化されたＮＦＣタッグの行位置情報及び列位置情報を含む。したがって、判断部１４０は伝達されたロー感知信号ＲＳＳ及びコラム感知信号ＣＳＳに基づいて活性化されたＮＦＣタッグの位置を判断することができる。
【００６６】
図５は、図１のディスプレイ装置の動作を説明するためのブロック図である。図５では例示的に、３つのＮＦＣタッグが活性化されると仮定する。また、簡略な説明のために、ディスプレイ部１１０は４Ｘ４行列構造で配置された複数のＮＦＣタッグを含み、ロー感知部１２０及びコラム感知部１３０は誘導起電力によって生成された誘導電流を感知すると仮定する。
【００６７】
図５を参照すれば、ＮＦＣ装置が搭載された携帯端末機１０が（２、３）の座標を有する第１ＮＦＣタッグＮＴ１に接近すると仮定する。すなわち、使用者が第１ＮＦＣタッグＮＴ１を選択すると仮定する。ＮＦＣ装置が搭載された携帯端末機１０が第１ＮＦＣタッグＮＴ１に接近する場合、第１ＮＦＣタッグＮＴ１が活性化される。この場合、第１ＮＦＣタッグＮＴ１及び第１ＮＦＣタッグＮＴ１に接続された導電ラインには誘導電流が発生する。
【００６８】
ところで、この場合に、第１ＮＦＣタッグＮＴ１だけではなく、第１ＮＦＣタッグＮＴ１に隣接したＮＦＣタッグが活性化され得る。例えば、ＮＦＣタッグがディスプレイ部１１０上で狭い間隔に配置されている場合に、使用者によって選択されたＮＦＣタッグだけではなく、選択されたＮＦＣタッグに隣接したＮＦＣタッグも活性化され得る。
【００６９】
例えば、図５を参照すれば、使用者によって選択された第１ＮＦＣタッグＮＴ１だけではなく、第１ＮＦＣタッグＮＴ１に隣接した第２及び第３ＮＦＣタッグＮＴ２、ＮＴ３も活性化される。この場合、第２ＮＦＣタッグＮＴ２及び第２ＮＦＣタッグＮＴ２に接続された導電ラインには誘導電流が発生する。また、第３ＮＦＣタッグＮＴ３及び第３ＮＦＣタッグＮＴ３に接続された導電ラインには誘導電流が発生する。
【００７０】
結果的に、ＮＦＣ装置が搭載された携帯端末機１０が第１ＮＦＣタッグＮＴ１に接近する場合、第１〜第３ＮＦＣタッグＮＴ１〜ＮＴ３が活性化される。この場合、第２ロー電流ＩＲ２及び第３ロー電流ＩＲ３がロー感知部１２０に伝達される。また、第２コラム電流ＩＣ２及び第３コラム電流ＩＣ３がコラム感知部１３０に伝達される。
【００７１】
一方、使用者によって選択された第１ＮＦＣタッグＮＴ１の誘導起電力は使用者によって非選択された第２及び第３ＮＦＣタッグＮＴ２、ＮＴ３の誘導起電力より大きい。したがって、第１ＮＦＣタッグＮＴ１に対応する第２ロー電流ＩＲ２の大きさは第３ロー電流ＩＲ３の大きさより大きい。同様に、第１ＮＦＣタッグＮＴ１に対応する第３コラム電流ＩＣ３の大きさは第２コラム電流ＩＣ２の大きさより大きい。
【００７２】
ロー感知部１２０にはディスプレイ部１１０からロー電流ＩＲが伝達される。ロー感知部１２０は伝達されたロー電流ＩＲに対応するロー感知信号ＲＳＳを判断部１４０に提供する。この場合、ロー感知信号ＲＳＳは活性化されたＮＦＣタッグＮＴの行位置情報を含む。また、ロー感知信号ＲＳＳは伝達されたロー電流ＩＲの大きさに対する情報を含む。
【００７３】
例えば、図５を参照すれば、第２ローセンサＲＳ２には第２ロー電流ＩＲ２が伝達され、第２ロー電流ＩＲ２に対応する第２ロー感知信号ＲＳＳ２を判断部１４０に伝達する。この場合、第２ロー感知信号ＲＳＳ２は活性化された第１及び第３ＮＦＣタッグＮＴ１、ＮＴ３が行方向の導電ラインのうち第２行の導電ラインに位置することを示す行位置情報を含む。また、第２ロー感知信号ＲＳＳ２は伝達された第２ロー電流ＩＲ２の大きさに対する情報を含む。
【００７４】
同様に、第３ローセンサＲＳ３には第３ロー電流ＩＲ３が伝達され、第３ロー電流ＩＲ３に対応する第３ロー感知信号ＲＳＳ３を判断部１４０に伝達する。この場合、第３ロー感知信号ＲＳＳ３は活性化された第２ＮＦＣタッグＮＴ２が行方向の導電ラインのうち第３行の導電ラインに位置することを示す行位置情報を含む。また、第３ロー感知信号ＲＳＳ３は伝達された第３ロー電流ＩＲ３の大きさに対する情報を含む。
【００７５】
コラム感知部１３０にはディスプレイ部１１０からコラム電流ＩＣが伝達される。コラム感知部１３０は伝達されたコラム電流ＩＣに対応するコラム感知信号ＣＳＳを判断部１４０に提供する。この場合、コラム感知信号ＣＳＳは活性化されたＮＦＣタッグＮＴの列位置情報を含む。また、コラム感知信号ＣＳＳは伝達されたコラム電流ＩＣの大きさに対する情報を含む。
【００７６】
例えば、図５を参照すれば、第２及び第３コラムセンサＣＳ２、ＣＳ３には各々第２及び第３コラム電流ＩＣ２、ＩＣ３が各々伝達され、第２及び第３コラム感知信号ＣＳＳ２、ＣＳＳ３を判断部１４０に各々伝達する。これは上述のローセンサＲＳの動作と類似であるので、詳細な説明は省略する。但し、第２及び第３コラム感知信号ＣＳＳ２、ＣＳＳ３は活性化されたＮＦＣタッグのコラム位置情報だけではなく、第２及び第３コラム電流ＩＣ２、ＩＣ３の大きさに対する情報を各々含む。
【００７７】
判断部１４０にはロー感知部１２０及びコラム感知部１３０から各々ロー感知信号ＲＳＳ及びコラム感知信号ＣＳＳが伝達される。判断部１４０はロー感知信号ＲＳＳ及びコラム感知信号ＣＳＳに基づいて、活性化されたＮＦＣタッグのうち使用者によって選択されたＮＦＣタッグの位置を判断する。
【００７８】
詳細に説明すれば、判断部１４０にはロー感知部１２０から複数のロー感知信号ＲＳＳが印加される。この場合、判断部１４０はロー感知信号ＲＳＳに対応するロー電流ＩＲの大きさと基準電流（ｒｅｆｅｒｅｎｃｅ  ｃｕｒｒｅｎｔ）の大きさとを比較して、使用者によって選択されたＮＦＣタッグの行情報を判断する。
【００７９】
ロー電流ＩＲの大きさが基準電流の大きさより大きい場合、判断部１４０は該当のロー電流ＩＲに対応するＮＦＣタッグを使用者によって選択されたＮＦＣタッグと判断する。反対に、ロー電流ＩＲの大きさが基準電流の大きさより小さい場合、判断部１４０は該当のロー電流ＩＲに対応するＮＦＣタッグを使用者によって選択されないＮＦＣタッグと判断する。この場合、基準電流の大きさは使用者によって選択されたロー電流より小さく、使用者によって選択されないロー電流より大きく適切に選択される。
【００８０】
例えば、図５を参照すれば、判断部１４０には第２及び第３ローセンサＲＳ２、ＲＳ３から各々第２及び第３ロー感知信号ＲＳＳ２、ＲＳＳ３が伝達される。この場合、第２及び第３ロー感知信号ＲＳＳ２、ＲＳＳ３は各々第２及び第３ロー電流ＩＲ２、ＩＲ３の大きさに対する情報を含む。したがって、判断部１４０は第２及び第３ロー感知信号ＲＳＳ２、ＲＳＳ３に基づいて、第２及び第３ロー電流ＩＲ２、ＩＲ３の大きさを基準電流（ｒｅｆｅｒｅｎｃｅ  ｃｕｒｒｅｎｔ）の大きさと比較する。
【００８１】
この場合、第２ロー電流ＩＲ２の大きさは基準電流の大きさより大きい。これは第１ＮＦＣタッグＮＴ１に対応する誘導起電力の強さが第２ＮＦＣタッグＮＴ２に対応する誘導起電力の強さより大きいことからである。すなわち、ＮＦＣ装置が搭載された携帯端末機１０が第１ＮＦＣタッグＮＴ１に最も隣接することからである。
【００８２】
したがって、判断部１４０は第２ロー感知信号ＲＳＳ２に含まれた行情報が使用者によって選択されたＮＦＣタッグの行情報と判断する。すなわち、判断部１４０は使用者によって選択されたＮＦＣタッグが行方向の導電ラインのうち第２行の導電ラインに位置すると判断する。
【００８３】
一方、第３ロー電流ＩＲ３の大きさは基準電流より小さい。したがって、判断部１４０は第３ロー感知信号ＲＳＳ３に含まれた行情報は使用者によって選択されないＮＦＣタッグの行情報と判断する。
【００８４】
続いて、図５を参照すれば、判断部１４０にはコラム感知部１３０から複数のコラム感知信号ＣＳＳが印加される。この場合、判断部１４０はコラム感知信号ＣＳＳに対応するコラム電流ＩＣの大きさと基準電流（ｒｅｆｅｒｅｎｃｅ  ｃｕｒｒｅｎｔ）の大きさとを比較して、使用者によって選択されたＮＦＣタッグの列情報を判断する。
【００８５】
例えば、図５を参照すれば、判断部１４０は第２及び第３コラム電流ＩＣ２、ＩＣ３の大きさを基準電流の大きさと比較して、使用者によって選択されたＮＦＣタッグの列情報を判断する。例えば、第３コラム電流ＩＣ３の大きさが基準電流の大きさより大きく、第２コラム電流ＩＣ２の大きさが基準電流より小さい場合、判断部１４０は第３コラム感知信号ＣＳＳ３に含まれた列情報が使用者によって選択されたＮＦＣタッグの列情報と判断する。これは上述の選択されたＮＦＣタッグの行情報を判断する判断部１４０の動作と類似であるので、詳細な説明は省略する。
【００８６】
結果的に、判断部１４０はロー電流ＩＲの大きさ及びコラム電流ＩＣの大きさを基準電流の大きさと比較することによって、選択されたＮＦＣタッグの行情報及び列情報を判断することができる。例えば、図５を参照すれば、判断部１４０は使用者によって選択されたＮＦＣタッグが（２、３）の座標に位置すると判断する。
【００８７】
図６は、図５のディスプレイの装置の動作を説明するためのフローチャートである。
２１０段階において、ＮＦＣタッグが活性化される。すなわち、使用者がＮＦＣ装置をＮＦＣタッグに接近させる場合、ＮＦＣ装置に隣接したＮＦＣタッグが活性化される。ここで、ＮＦＣ装置は携帯電話などの携帯端末機に搭載されたＮＦＣ装置を意味する。ＮＦＣ装置がＮＦＣタッグに接近すれば、ＮＦＣ装置に隣接したＮＦＣタッグが活性化される。
【００８８】
この場合、例えば、図５を参照すれば、使用者によって選択された第１ＮＦＣタッグＮＴ１だけではなく、選択されたＮＦＣタッグに隣接した第２及び第３ＮＦＣタッグＮＴ２、ＮＴ３も活性化される。したがって、第１〜第３ＮＦＣタッグＮＴ１〜ＮＴ３には誘導電流（ｉｎｄｕｃｅｄ  ｃｕｒｒｅｎｔ）が発生する。
【００８９】
２２０段階において、誘導電流（ｉｎｄｕｃｅｄ  ｃｕｒｒｅｎｔ）が感知部（ｓｅｎｓｉｎｇ  ｃｕｒｒｅｎｔ）で感知される。例えば、図５を参照すれば、誘導電流のうち第２及び第３ロー電流ＩＲ２、ＩＲ３がロー感知部１２０で感知される。また、誘導電流のうち第２及び第３コラム電流ＩＣ２、ＩＣ３がコラム感知部１３０で感知される。
【００９０】
この場合、ロー感知部１２０は伝達された第２及び第３ロー電流ＩＲ２、ＩＲ３に対応する第２及び第３ロー感知信号ＲＳＳ２、ＲＳＳ３を判断部１４０に伝達する。また、コラム感知部１３０は伝達された第２及び第３コラム電流ＩＣ２、ＩＣ３に対応する第２及び第３コラム感知信号ＣＳＳ２、ＣＳＳ３を判断部１４０に伝達する。この場合、ロー感知信号ＲＳＳ及びコラム感知信号ＣＳＳは各々対応するロー電流ＩＲの大きさに対する情報及びコラム電流ＩＣの大きさに対する情報を含む。
【００９１】
２３０段階において、誘導電流の大きさが基準電流の大きさより大きいか否かが判断される。例えば、図５を参照すれば、判断部１４０は第２ロー電流ＩＲ２及び第３ロー電流ＩＲ３の大きさが基準電流の大きさより大きいか否かを判断する。同様に、判断部１４０は第２コラム電流ＩＣ２及び第３コラム電流ＩＣ３の大きさが基準電流の大きさより大きいか否かを判断する。
【００９２】
誘導電流の大きさが基準電流の大きさより大きい場合、使用者によって選択されたＮＦＣタッグに対応する位置が判断される（２４０段階）。
【００９３】
例えば、図５を参照すれば、第２ロー電流ＩＲ２の大きさは基準電流より大きい。したがって、判断部１４０は使用者によって選択されたＮＦＣタッグが行方向の導電ラインのうち第２導電ラインに位置すると判断する。また、第３コラム電流ＩＣ３の大きさは基準電流より大きい。したがって、判断部１４０は使用者によって選択されたＮＦＣタッグが列方向の導電ラインのうち第３導電ラインに位置すると判断する。結局、判断部１４０は使用者によって選択されたＮＦＣタッグが（２、３）の座標に位置すると判断する。
【００９４】
一方、誘導電流の大きさが基準電流の大きさより小さい場合、判断部１４０は誘導電流に対応するＮＦＣタッグを使用者によって選択されないＮＦＣタッグと判断する。
【００９５】
図７は、本発明の他の実施形態に係るディスプレイ装置を示すブロック図である。図７のディスプレイ装置は図１のディスプレイ装置と類似である。したがって、以下では図１のディスプレイ装置との差異を重点的に説明する。
【００９６】
図７を参照すれば、ディスプレイ装置２００はディスプレイ部２１０と、感知部２２０と、判断部２３０と、制御部２４０とを含んでいる。
【００９７】
ディスプレイ部２１０は複数のＮＦＣタッグを含んでいる。ＮＦＣタッグは各々ディスプレイイメージ（Ｄｉｓｐｌａｙ  ｉｍａｇｅ）に対応する。ディスプレイ部２１０は使用者が選択するための少なくても２つのディスプレイイメージを含む。
【００９８】
図１のディスプレイ部１１０のＮＦＣタッグは一定の間隔に配置された導電ラインの交差点に配置されている。例えば、図２を参照すれば、ディスプレイ部１１０の導電ラインは一定の間隔を有する行列構造で配置され、ＮＦＣタッグは導電ラインの交差点に配置されている。これと異なり、図７のディスプレイ部２１０のＮＦＣタッグはランダムに配置され、各々１つの導電ラインに接続されている。
【００９９】
一方、ＮＦＣ装置が搭載された携帯端末機がディスプレイ部２１０のＮＦＣタッグに接近する場合、ＮＦＣタッグ及びこれに接続された導電ラインには誘導電流が発生する。これは図１のディスプレイ部１１０と類似であるので、詳細な説明は省略する。
【０１００】
続いて、図７を参照すれば、感知部２２０はディスプレイ部２１０に接続されている。例えば、感知部２２０は第１〜第４センサＳ１〜Ｓ４を含み、各々のセンサＳはＮＦＣタッグに接続されている。感知部２２０は活性化されたＮＦＣタッグに生成された電流、電圧または電力のうちの少なくとも１つを感知する。
【０１０１】
図１のディスプレイ装置１００はロー感知部１２０及びコラム感知部１３０を含んでいる。したがって、図１のディスプレイ装置１００は使用者によって選択されたＮＦＣタッグの行の位置情報及び列の位置情報を判断することができる。これと異なり、図７のディスプレイ装置２００はＮＦＣタッグに一対一で接続されたセンサＳを含む感知部２２０を含む。センサＳがＮＦＣタッグに一対一で接続されているので、図７のディスプレイ装置２００は使用者によって選択されたＮＦＣタッグの位置情報を判断することができる。
【０１０２】
一方、ＮＦＣ装置が搭載された携帯端末機がディスプレイ部２１０のＮＦＣタッグに接近する場合、感知部２２０には選択されたＮＦＣタッグ及びこれに接続された導電ラインを通じて誘導電流（ｉｎｄｕｃｅｄ  ｃｕｒｒｅｎｔ）が伝達される。また、感知部２２０は伝達された誘導電流に対応する感知信号ＳＳ（Ｓｅｎｓｉｎｇ  Ｓｉｇｎａｌ）を判断部２３０に伝達する。感知部２２０の動作は図１のロー感知部１２０またはコラム感知部１３０の動作と類似であるので、詳細な説明は省略する。
【０１０３】
判断部２３０は感知部２２０に接続されている。例えば、判断部２３０には感知部２２０から感知信号ＳＳが伝達される。判断部２３０は感知信号ＳＳに基づいて使用者によって選択されたＮＦＣタッグの位置情報を判断する。判断部２３０の動作は図１の判断部１４０の動作と類似であるので、詳細な説明は省略する。
【０１０４】
制御部２４０はディスプレイ装置２００の全般的な動作を制御する。制御部２４０の動作は図１の制御部１５０の動作と類似であるので、詳細な説明は省略する。
【０１０５】
上述のように、本発明の実施形態に係るディスプレイ装置は、ディスプレイ部のＮＦＣ装置のうち使用者によって選択されたＮＦＣ装置の位置情報を判断することができる。言い換えれば、使用者がディスプレイイメージのうち所定のディスプレイイメージにＮＦＣ装置が搭載された携帯端末機を接近させる場合、本発明の実施形態に係るディスプレイ装置は使用者によって選択されたディスプレイイメージを認識することができる。
【０１０６】
一方、本発明の技術的思想によるディスプレイ装置に配置されたＮＦＣタッグはＮＦＣ装置の固有の機能を実行することができることは勿論である。例えば、使用者がＮＦＣ装置が搭載された携帯端末機を利用して所定のＮＦＣタッグを選択する場合、選択されたＮＦＣタッグと携帯端末機のＮＦＣ装置との間にはＮＦＣ固有の機能を実行することができる。具体的に、選択されたＮＦＣタッグと携帯端末機のＮＦＣ装置との間にはＰｅｅｒ  ｔｏ  Ｐｅｅｒ通信、ＲＦＩＤ判読機能、またはカードエミュレーション（Ｃａｒｄ  Ｅｍｕｌａｔｉｏｎ）機能を実行することができる。
【０１０７】
一方、本発明の範囲または技術的思想を逸脱せずに本発明の構造を多様に修正、または変更することができることはこの分野に熟練した者に自明である。上述の内容を考慮する時、本発明の修正及び変更が添付の請求項及び同等物の範疇内に属したら、本発明はこの発明の変更及び修正を含むと見なされる。
【符号の説明】
【０１０８】
１１０  ディスプレイ部
１２０  ロー感知部
１３０  コラム感知部
１４０  判断部
１５０  制御部
【図１】
2011175626.tif 000003
【図２】
2011175626.tif 000004
【図３】
2011175626.tif 000005
【図４】
2011175626.tif 000006
【図５】
2011175626.tif 000007
【図６】
2011175626.tif 000008
【図７】
2011175626.tif 000009